(57)【要約】    【課題】      送信されたファクシミリ画像の細かな表示制御を可能とするとともに、このファクシミリ画像に直接コメントを付与するなどの編集加工を行って応答すること。    【解決手段】  サーバ１０１で携帯電話機１００宛てのファクシミリ画像を受け付けると、この携帯電話機１００に対してファクシミリ画像が届いた旨を通知する電子メールを送信し、当該ファクシミリ画像の全体を携帯電話機１００の表示領域で表示可能な画像形式に変換し、変換された画像データを携帯電話機１００で閲覧可能とするファクシミリ画像閲覧プログラムを携帯電話機１００からの要求に応じて送信し、携帯電話機１００で当該ファクシミリ画像閲覧プログラムを実行することでファクシミリ画像に対応する画像データを閲覧する。  【選択図】      図１
2005094262.tif 000002
【特許請求の範囲】
【請求項１】
画像を表示する表示手段と、本携帯電話機宛てのファクシミリ画像が届いた旨を通知する電子メールを受信する受信手段と、前記ファクシミリ画像の全体を前記表示手段の表示領域で表示可能な画像形式に変換した画像データの閲覧を可能とするファクシミリ画像閲覧プログラムを取得する取得手段と、前記ファクシミリ画像閲覧プログラムを実行する制御手段と、を具備することを特徴とする携帯電話機。
【請求項２】
前記制御手段は、前記ファクシミリ画像閲覧プログラムが取得されていない場合、当該ファクシミリ画像閲覧プログラムの取得指示を判断し、取得指示があった場合に前記取得手段に前記ファクシミリ画像閲覧プログラムを取得させることを特徴とする請求項１記載の携帯電話機。
【請求項３】
前記制御手段は、前記電子メールに記述された前記ファクシミリ画像に対応する画像データにアクセス可能なＵＲＬが選択されると、前記ファクシミリ画像閲覧プログラムの有無を判断することを特徴とする請求項２記載の携帯電話機。
【請求項４】
前記制御手段は、前記ファクシミリ画像閲覧プログラムが取得されている場合に前記電子メールに記述された前記ファクシミリ画像に対応する画像データにアクセス可能なＵＲＬが選択されると、当該ファクシミリ画像閲覧プログラムの実行指示を判断し、実行指示があった場合に当該ファクシミリ画像閲覧プログラムを実行することを特徴とする請求項１から請求項３のいずれかに記載の携帯電話機。
【請求項５】
前記ファクシミリ画像閲覧プログラムは、前記ファクシミリ画像が複数枚存在する場合、当該ファクシミリ画像に対応する画像データの全てを取得した後、各画像データについて閲覧可能とすることを特徴とする請求項１から請求項４のいずれかに記載の携帯電話機。
【請求項６】
前記ファクシミリ画像閲覧プログラムは、前記ファクシミリ画像の枚数が予め設定された所定枚数を上回る場合、当該ファクシミリ画像に対応する画像データを所定枚数以下の枚数に分割して取得することを特徴とする請求項５記載の携帯電話機。
【請求項７】
前記ファクシミリ画像閲覧プログラムは、取得した複数枚の前記ファクシミリ画像に対応する画像データに対して頁めくりを行う機能を有することを特徴とする請求項５又は請求項６記載の携帯電話機。
【請求項８】
前記ファクシミリ画像閲覧プログラムは、前記ファクシミリ画像に対応する画像データに対して拡大又は縮小表示を行う機能を有することを特徴とする請求項１から請求項７のいずれかに記載の携帯電話機。
【請求項９】
前記ファクシミリ画像閲覧プログラムは、前記ファクシミリ画像の返信又は転送処理を指示する機能を有することを特徴とする請求項１から請求項８のいずれかに記載の携帯電話機。
【請求項１０】
前記ファクシミリ画像閲覧プログラムは、前記ファクシミリ画像に対して書き込まれる文字情報を指定する機能を有することを特徴とする請求項９記載の携帯電話機。
【請求項１１】
前記ファクシミリ画像閲覧プログラムは、前記ファクシミリ画像の返信又は転送処理を行う際に宛先を追加する機能を有することを特徴とする請求項９又は請求項１０記載の携帯電話機。
【請求項１２】
前記ファクシミリ画像閲覧プログラムは、前記ファクシミリ画像の返信又は転送処理を行う際に返信先又は転送先におけるペーパー出力を指定する機能を有することを特徴とする請求項９から請求項１１のいずれかに記載の携帯電話機。
【請求項１３】
前記ファクシミリ画像閲覧プログラムは、前記ファクシミリ画像の返信又は転送処理を行う際に当該ファクシミリ画像の画像形式を指定する機能を有することを特徴とする請求項９から請求項１２のいずれかに記載の携帯電話機。
【請求項１４】
携帯電話機宛てのファクシミリ画像が届いた旨を通知する電子メールを送信する送信手段と、前記ファクシミリ画像の全体を前記携帯電話機の表示領域で表示可能な画像形式に変換する画像変換手段と、前記画像変換手段により変換された画像データを前記携帯電話機で閲覧可能とするファクシミリ画像閲覧プログラムを前記携帯電話機からの要求に応じて送信する通信手段と、を具備することを特徴とするサーバ装置。
【請求項１５】
前記通信手段は、前記携帯電話機から前記ファクシミリ画像に書き込まれる文字情報を受信し、前記画像変換手段は、前記ファクシミリ画像に前記文字情報を合成して当該ファクシミリ画像の送信元又は他の宛先に返信又は転送することを特徴とする請求項１４記載のサーバ装置。
【請求項１６】
携帯電話機宛てのファクシミリ画像を受け付けると前記携帯電話機に対してファクシミリ画像が届いた旨を通知する電子メールを送信し、前記ファクシミリ画像の全体を前記携帯電話機の表示領域で表示可能な画像形式に変換し、変換された画像データを前記携帯電話機で閲覧可能とするファクシミリ画像閲覧プログラムを前記携帯電話機からの要求に応じて送信し、前記携帯電話機で当該ファクシミリ画像閲覧プログラムを実行することで前記ファクシミリ画像に対応する画像データを閲覧することを特徴とするファクシミリ画像閲覧方法。
【請求項１７】
前記携帯電話機で前記ファクシミリ画像に書き込まれる文字情報を指定し、前記携帯電話機から当該文字情報を受け付け、前記携帯電話機から指定された前記ファクシミリ画像に当該文字情報を合成し、当該ファクシミリ画像を送信元又は他の宛先に返信又は転送することを特徴とする請求項１６記載のファクシミリ画像閲覧方法。
【請求項１８】
携帯電話機に搭載されるプロセッサに、前記携帯電話機宛てに届いたファクシミリ画像の全体を当該携帯電話機の表示領域で表示可能な画像形式に変換した画像データを閲覧させる手順と、前記ファクシミリ画像に書き込まれる文字情報を指定する手順と、前記文字情報が入力されたファクシミリ画像の返信又は転送を指示する手順と、を実行させることを特徴とするファクシミリ画像閲覧プログラム。
【発明の詳細な説明】
【技術分野】
【０００１】
本発明は、携帯電話機、サーバ装置及びファクシミリ画像閲覧方法に関する。
【背景技術】
【０００２】
従来、ファクシミリ又は電子メールで受信した電子画像を、表示領域が表示画面より大きな画像データであっても小さな表示画面で自由な方向から自在に見ることを可能とした技術が知られている（例えば、特許文献１参照）。
【０００３】
上記の技術においては、画像変換部で携帯電話のＷＥＢインタフェース上で表示可能な画像に変換した後、携帯電話で表示可能なサイズの複数のサブ画像に分割し、位置情報とともに画像蓄積部に蓄積する。そして、各サブ画像に対してリンク付けした携帯電話用のＷＥＢページを表示処理部で生成し、このＷＥＢページのＵＲＬを記述した電子メールを電子メール送信部から携帯電話に送信し、各ＷＥＢページのリンクを辿りながら複数のサブ画像を順次切り替えて表示しながら閲覧する。
【特許文献１】特開２００２−９９４８１号公報
【発明の開示】
【発明が解決しようとする課題】
【０００４】
しかしながら、上記従来の技術においては、予め携帯電話で表示可能なサイズに分割された複数のサブ画像に対してリンク付けした携帯電話用のＷＥＢページを辿りながら表示させるものであるため、画像の細かな表示制御ができず、視認性が悪いという問題がある。
【０００５】
また、従来の技術においては、携帯電話で受信した電子画像を表示させるのみであり、受信した電子画像に対する返信は、ＵＲＬが記述されていた電子メールで返信するか、他の通信手段を用いて応答するしかなく、受信した電子画像に直接コメントを付与するなどの編集加工を行うことができず、操作性が悪いという問題もある。
【０００６】
本発明は、かかる問題点に鑑みて為されたものであり、送信されたファクシミリ画像の細かな表示制御を可能とするとともに、このファクシミリ画像に直接コメントを付与するなどの編集加工を行って応答することができる携帯電話機、サーバ装置及びファクシミリ画像閲覧方法を提供することを目的とする。
【課題を解決するための手段】
【０００７】
本発明は、携帯電話機宛てのファクシミリ画像を受け付けるとこの携帯電話機に対してファクシミリ画像が届いた旨を通知する電子メールを送信し、当該ファクシミリ画像の全体を携帯電話機の表示領域で表示可能な画像形式に変換し、変換された画像データを携帯電話機で閲覧可能とするファクシミリ画像閲覧プログラムを携帯電話機からの要求に応じて送信し、携帯電話機で当該ファクシミリ画像閲覧プログラムを実行することでファクシミリ画像に対応する画像データを閲覧するようにしたものである。
【発明の効果】
【０００８】
本発明に係る携帯電話機、サーバ装置及びファクシミリ画像閲覧方法によれば、送信されたファクシミリ画像の細かな表示制御を可能とするとともに、このファクシミリ画像に直接コメントを付与するなどの編集加工を行って応答することができる。
【発明を実施するための最良の形態】
【０００９】
本発明の第１の態様に係る携帯電話機は、画像を表示する表示手段と、本携帯電話機宛てのファクシミリ画像が届いた旨を通知する電子メールを受信する受信手段と、前記ファクシミリ画像の全体を前記表示手段の表示領域で表示可能な画像形式に変換した画像データの閲覧を可能とするファクシミリ画像閲覧プログラムを取得する取得手段と、前記ファクシミリ画像閲覧プログラムを実行する制御手段と、を具備する構成を採る。
【００１０】
この構成によれば、取得手段が取得したファクシミリ画像閲覧プログラムを制御手段が実行することにより、携帯電話機でファクシミリ画像の全体を表示手段の表示領域で表示可能な画像形式に変換した画像データの閲覧が可能となる。このため、携帯電話機宛てに送信されたファクシミリ画像の細かな表示制御を行うことが可能となる。
【００１１】
本発明の第２の態様は、第１の態様に係る携帯電話機において、前記制御手段は、前記ファクシミリ画像閲覧プログラムが取得されていない場合、当該ファクシミリ画像閲覧プログラムの取得指示を判断し、取得指示があった場合に前記取得手段に前記ファクシミリ画像閲覧プログラムを取得させる構成を採る。
【００１２】
この構成によれば、携帯電話機の利用者によるファクシミリ画像閲覧プログラムの取得指示を待って当該ファクシミリ画像閲覧プログラムが取得される。このため、利用者の必要に応じてファクシミリ画像閲覧プログラムを取得することができ、必要のない場合には他の閲覧方式、例えば、ＨＴＭＬを用いてファクシミリ画像を閲覧する等の処理を選択することができる。
【００１３】
本発明の第３の態様は、第２の態様に係る携帯電話機において、前記制御手段は、前記電子メールに記述された前記ファクシミリ画像に対応する画像データにアクセス可能なＵＲＬが選択されると、前記ファクシミリ画像閲覧プログラムの有無を判断する構成を採る。
【００１４】
この構成によれば、アクセス可能なＵＲＬが選択された場合にファクシミリ画像閲覧プログラムの有無を判断する。このため、携帯電話機の利用者は、ファクシミリ画像が届いた旨を通知するメール上から簡単にファクシミリ画像閲覧プログラムの有無の判断を指示できることとなる。
【００１５】
本発明の第４の態様は、第１から第３のいずれかの態様に係る携帯電話機において、前記制御手段は、前記ファクシミリ画像閲覧プログラムが取得されている場合に前記電子メールに記述された前記ファクシミリ画像に対応する画像データにアクセス可能なＵＲＬが選択されると、当該ファクシミリ画像閲覧プログラムの実行指示を判断し、実行指示があった場合に当該ファクシミリ画像閲覧プログラムを実行する構成を採る。
【００１６】
この構成によれば、携帯電話機の利用者によるファクシミリ画像閲覧プログラムの実行指示を待って当該ファクシミリ画像閲覧プログラムが実行される。このため、利用者の必要に応じてファクシミリ画像閲覧プログラムを実行することができ、必要のない場合には他の閲覧方式、例えば、ＨＴＭＬを用いてファクシミリ画像を閲覧する等の処理を選択することができる。
【００１７】
本発明の第５の態様は、第１から第４のいずれかの態様に係る携帯電話機において、前記ファクシミリ画像閲覧プログラムは、前記ファクシミリ画像が複数枚存在する場合、当該ファクシミリ画像に対応する画像データの全てを取得した後、各画像データについて閲覧可能とする構成を採る。
【００１８】
この構成によれば、複数枚のファクシミリ画像が枚存在する場合、当該ファクシミリ画像に対応する画像データの全てを取得した後、各画像データについて閲覧可能とする。このため、ファクシミリ画像に対応する画像データを利用者の指示に応じて取得する場合に比べて画像データの取得後の処理を高速化することができる。
【００１９】
本発明の第６の態様は、第５の態様に係る携帯電話機において、前記ファクシミリ画像閲覧プログラムは、前記ファクシミリ画像の枚数が予め設定された所定枚数を上回る場合、当該ファクシミリ画像に対応する画像データを所定枚数以下の枚数に分割して取得する構成を採る。
【００２０】
この構成によれば、ファクシミリ画像の枚数が予め設定された所定枚数を上回る場合、当該ファクシミリ画像に対応する画像データが所定枚数以下の枚数に分割して取得される。このため、携帯電話機のメモリに過大の負担をかけることなく、ファクシミリ画像に対応する画像データを取得することができる。
【００２１】
本発明の第７の態様は、第５又は第６の態様に係る携帯電話機において、前記ファクシミリ画像閲覧プログラムは、取得した複数枚の前記ファクシミリ画像に対応する画像データに対して頁めくりを行う機能を有する構成を採る。
【００２２】
この構成によれば、ファクシミリ画像に対応する画像データに対して頁めくりを行うことができるので、携帯電話機でファクシミリ画像に対応する画像データを容易に選択することができる。
【００２３】
本発明の第８の態様は、第１から第７のいずれかの態様に係る携帯電話機において、前記ファクシミリ画像閲覧プログラムは、前記ファクシミリ画像に対応する画像データに対して拡大又は縮小表示を行う機能を有する構成を採る。
【００２４】
この構成によれば、ファクシミリ画像に対応する画像データに対して拡大又は縮小表示を行うことができるので、携帯電話機における画像データの視認性を向上することができる。
【００２５】
本発明の第９の態様は、第１から第８のいずれかの態様に係る携帯電話機において、前記ファクシミリ画像閲覧プログラムは、前記ファクシミリ画像の返信又は転送処理を指示する機能を有する構成を採る。
【００２６】
この構成によれば、ファクシミリ画像の返信又は転送処理を指示することができるので、携帯電話機から場所や時間を選ぶことなくファクシミリ画像の返信又は転送を行うことができる。
【００２７】
本発明の第１０の態様は、第９の態様に係る携帯電話機において、前記ファクシミリ画像閲覧プログラムは、前記ファクシミリ画像に書き込まれる文字情報を指定する機能を有する構成を採る。
【００２８】
この構成によれば、ファクシミリ画像に書き込まれる文字情報を指定することができるので、ファクシミリ画像に対してコメントを付与するなどの編集加工を行って返信又は転送処理を行うことができる。このため、携帯電話機でファクシミリ機能を有効に活用することができるという優れた効果を奏する。
【００２９】
本発明の第１１の態様は、第９又は第１０の態様に係る携帯電話機において、前記ファクシミリ画像閲覧プログラムは、前記ファクシミリ画像の返信又は転送処理を行う際に宛先を追加する機能を有する構成を採る。
【００３０】
この構成によれば、ファクシミリ画像の返信又は転送処理を行う際に宛先を追加することができるので、限られた送信先だけでなく任意の送信先を設定して返信又は転送処理を行うことができる。
【００３１】
本発明の第１２の態様は、第９から第１１のいずれかの態様に係る携帯電話機において、前記ファクシミリ画像閲覧プログラムは、前記ファクシミリ画像の返信又は転送処理を行う際に返信先又は転送先におけるペーパー出力を指定する機能を有する構成を採る。
【００３２】
この構成によれば、ファクシミリ画像の返信又は転送処理を行う際に返信先又は転送先におけるペーパー出力を指定することができるので、ペーパー出力されないまま放置されるような事態を回避することができ、緊急時や受信を強調したい場合により確実に受信者にファクシミリ画像の内容を伝えることができる。
【００３３】
本発明の第１３の態様は、第９から第１２いずれかの態様に係る携帯電話機において、前記ファクシミリ画像閲覧プログラムは、前記ファクシミリ画像の返信又は転送処理を行う際に当該ファクシミリ画像の画像形式を指定する機能を有する構成を採る。
【００３４】
この構成によれば、ファクシミリ画像の返信又は転送処理を行う際に当該ファクシミリ画像の画像形式を指定することができるので、限られた画像形式だけでなく任意の画像形式を指定して返信又は転送処理を行うことができる。
【００３５】
本発明の第１４の態様に係るサーバ装置は、携帯電話機宛てのファクシミリ画像が届いた旨を通知する電子メールを送信する送信手段と、前記ファクシミリ画像の全体を前記携帯電話機の表示領域で表示可能な画像形式に変換する画像変換手段と、前記画像変換手段により変換された画像データを前記携帯電話機で閲覧可能とするファクシミリ画像閲覧プログラムを前記携帯電話機からの要求に応じて送信する通信手段と、を具備する構成を採る。
【００３６】
この構成によれば、携帯電話機宛てのファクシミリ画像が届いた旨が携帯電話機に通知されるとともに、携帯電話機の要求に応じてファクシミリ画像閲覧プログラムが送信される。このため、携帯電話機でこのファクシミリ画像閲覧プログラムを実行することで、携帯電話機でファクシミリ画像の全体を表示領域で表示可能な画像形式に変換した画像データの閲覧が可能となる。このため、携帯電話機宛てに送信されたファクシミリ画像の細かな表示制御を行うことが可能となる。
【００３７】
本発明の第１５の態様は、第１４の態様に係るサーバ装置において、前記通信手段は、前記携帯電話機から前記ファクシミリ画像に書き込まれる文字情報を受信し、前記画像変換手段は、前記ファクシミリ画像に前記文字情報を合成して当該ファクシミリ画像の送信元又は他の宛先に返信又は転送する構成を採る。
【００３８】
この構成によれば、携帯電話機から受信したファクシミリ画像に書き込まれる文字情報を、ファクシミリ画像に合成して当該ファクシミリ画像の送信元又は他の宛先に返信又は転送される。このため、ファクシミリ画像に対してコメントを付与するなどの編集加工を行って返信又は転送処理を行うことができ、携帯電話機でファクシミリ機能を有効に活用することができるという優れた効果を奏する。
【００３９】
本発明の第１６の態様に係るファクシミリ画像閲覧方法は、携帯電話機宛てのファクシミリ画像を受け付けると前記携帯電話機に対してファクシミリ画像が届いた旨を通知する電子メールを送信し、前記ファクシミリ画像の全体を前記携帯電話機の表示領域で表示可能な画像形式に変換し、変換された画像データを前記携帯電話機で閲覧可能とするファクシミリ画像閲覧プログラムを前記携帯電話機からの要求に応じて送信し、前記携帯電話機で当該ファクシミリ画像閲覧プログラムを実行することで前記ファクシミリ画像に対応する画像データを閲覧するものである。
【００４０】
本発明の第１７の態様は、第１６の態様に係るファクシミリ画像閲覧方法において、前記携帯電話機で前記ファクシミリ画像に書き込まれる文字情報を指定し、前記携帯電話機から当該文字情報を受け付け、前記携帯電話機から指定された前記ファクシミリ画像に当該文字情報を合成し、当該ファクシミリ画像を送信元又は他の宛先に返信又は転送するものである。
【００４１】
本発明の第１８の態様に係るファクシミリ画像閲覧方法は、携帯電話機に搭載されるプロセッサに、前記携帯電話機宛てに届いたファクシミリ画像の全体を当該携帯電話機の表示領域で表示可能な画像形式に変換した画像データを閲覧させる手順と、前記ファクシミリ画像に書き込まれる文字情報を指定する手順と、前記文字情報が入力されたファクシミリ画像の返信又は転送を指示する手順と、を実行させるものである。
【００４２】
以下、本発明の実施の形態について、図面を参照して詳細に説明する。
【００４３】
図１は、本発明の一実施の形態に係る携帯電話機が接続されるネットワークの構成を示す図である。
【００４４】
図１に示すように、本実施の形態に係る携帯電話機１００が接続されるネットワークは、携帯電話機１００と、電子メールサーバ（以下、「メールサーバ」という）１０２、ＷＥＢサーバ１０３及び画像変換サーバ１０４から構成されるサーバ１０１と、家庭内に設置されたファクシミリ装置（以下、「ＦＡＸ」という）１０５、１０６から構成される。ＦＡＸ１０５又は１０６から送信されたファクシミリ画像（以下、「ＦＡＸ画像」という）は、サーバ１０１において携帯電話機１００で表示可能な画像形式に変換され、保管される。携帯電話機１００は、サーバ１０１に保管された、ＦＡＸ画像を閲覧、編集加工するためのＦＡＸ画像閲覧用プログラム（以下、「ＦＡＸビューワ」という）を必要に応じてダウンロードし、サーバ１０１に保管されたＦＡＸ画像の閲覧、編集加工を行う。以下、各構成の機能及び関係について説明する。
【００４５】
携帯電話機１００は、通常の無線通信機能に加え、電子メール送受信機能及びＷＥＢブラウザ機能を備える。電子メール送受信機能を用いてメールサーバ１０２から後述するＦＡＸ通知メールを受信し、ＷＥＢブラウザ機能を用いてＷＥＢサーバ１０３からＦＡＸビューワの受信及びＦＡＸ画像の閲覧、編集加工を行う。
【００４６】
ＦＡＸ１０５は、公衆回線網（以下、「ＰＳＴＮ」という）を介して画像変換サーバ１０４に対してＦＡＸ画像を送信する。一方、画像変換サーバ１０４から受信したＦＡＸ画像を記録紙に出力する。ＦＡＸ１０６は、ＦＡＸ１０５と同様の機能に加え、ＦＡＸ画像を電子メールに添付して送信するとともに、画像変換サーバ１０４から受信した電子メール及びこれに添付されたＦＡＸ画像を表示部で表示する機能を有する。
【００４７】
画像変換サーバ１０４は、ファクシミリサーバ機能（以下、「ＦＡＸサーバ機能」という）及びインターネットファクシミリ機能（以下、「インターネットＦＡＸ機能」という）を備える。ＦＡＸサーバ機能によってＰＳＴＮを介したＦＡＸ画像を送受信することが可能となり、また、受信したＦＡＸ画像をパーソナルコンピュータ（以下、「ＰＣ」という）で取扱い可能なデータ形式に変換すること及び当該変換データを保存することが可能となる。また、インターネットＦＡＸ機能によってＦＡＸ画像を電子メールで取り扱い可能なデータ形式に変換すること及び当該変換データを添付した電子メールを送受信することが可能となる。
【００４８】
ＦＡＸ１０５からＦＡＸ画像を受信した場合には、画像変換サーバ１０４は、そのＦＡＸ画像をＴＩＦＦ（Tagged Image File Format）化し、このＴＩＦＦ化した画像データを携帯電話機１００の表示用にＧＩＦ（Graphics Interchange Format）化する。ＧＩＦ化した画像データをＷＥＢサーバ１０３に渡すとともに、携帯電話機１００のアクセス用のＵＲＬ（以下、「アクセスＵＲＬ」という）を生成する。ＦＡＸ１０６からＦＡＸ画像が添付された電子メール（以下、「添付メール」という）を受信した場合には、添付されたＦＡＸ画像を取り出し、当該ＦＡＸ画像のＴＩＦＦ化及びＧＩＦ化を行い、ＷＥＢサーバ１０３に渡す。
【００４９】
ＷＥＢサーバ１０３は、携帯電話機１００にダウンロードされるＦＡＸビューワを予め保管し、携帯電話機１００の要求に応じてこのＦＡＸビューワを送信する。また、ＷＥＢサーバ１０３は、画像変換サーバ１０４から渡される、ＧＩＦ化されたＦＡＸ画像を保管する。
【００５０】
メールサーバ１０２は、画像変換サーバ１０４に送信されたＦＡＸ画像の送信先に設定された携帯電話機１００の電子メールアドレスを抽出し、ＦＡＸ画像が届いていることを通知するＦＡＸ通知メールを携帯電話機１００に送信する。ＦＡＸ通知メールを受信することで、携帯電話機１００の利用者は、自分宛てのＦＡＸ画像が届いていることを認識する。
【００５１】
ＦＡＸ１０６から添付メールを受信した場合には、この添付メールで指定された送信先の電子メールアドレスにＦＡＸ通知メールを送信する。一方、ＦＡＸ１０５からＦＡＸ画像を受信した場合には、予め利用者により登録された携帯電話機１００の電子メールアドレスにＦＡＸ通知メールを送信する。携帯電話機１００の電子メールアドレスは、例えば、送信元のＦＡＸ１０５の電話番号に対応して登録される。
【００５２】
なお、ここでは、単一のサーバ１０１がメールサーバ１０２、ＷＥＢサーバ１０３及び画像変換サーバ１０４としての機能を有する場合に説明しているが、これに限定されず、メールサーバ１０２、ＷＥＢサーバ１０３及び画像変換サーバ１０４を別々の構成とし、これらを接続した構成としてもよい。
【００５３】
以下、本実施の形態に係る携帯電話機１００でＦＡＸ画像を閲覧、返信等する場合の処理について図２に示すフロー図を用いて説明する。図２は、本実施の形態に係る携帯電話機１００でＦＡＸ画像を閲覧、返信等する場合の処理について説明するためのフロー図である。ここでは、図１に示すように、自宅にいる子供からＦＡＸ１０５（１０６）で会社にいる父の携帯電話機１００にＦＡＸ画像を送信する例を用いて説明する。なお、ＦＡＸ画像には１枚目に動物が描かれており、２枚目に積み木が描かれているものとする。
【００５４】
自宅のＦＡＸ１０５（１０６）から携帯電話機１００に対してＦＡＸ画像を送信すると、画像変換サーバ１０４によりＦＡＸ画像がＧＩＦ化された画像データに変換され、ＷＥＢサーバ１０３に格納される。図１においては、ＧＩＦ化された画像データが格納されたイメージを示している。一方、メールサーバ１０２により携帯電話機１００の電子メールアドレスが抽出され、この電子メールアドレス宛てにＦＡＸ通知メールが送信される。
【００５５】
待機状態において、携帯電話機１００は、ＦＡＸ通知メールを受信するかを監視している（ＳＴ２０１）。ＦＡＸ通知メールを受信すると、携帯電話機１００の表示部では、図３に示すように、受信メール一覧にＦＡＸ通知メールが追加される。同図に示すように、ＦＡＸ通知メールは、タイトルとして「ＦＡＸが届きました」と設定されているため、一見してＦＡＸ通知メールであることが認識できるようになっている。この受信メールを選択すると、携帯電話機１００の表示部にＦＡＸ通知メールが表示される。
【００５６】
ＦＡＸ通知メールの内容は、図４に示すように、送信元、受信したＦＡＸ画像（以下、「受信ＦＡＸ」という）の枚数及びアクセスＵＲＬが記述されている。ここでは、送信元に、添付メールの送信元に設定された人物の名称（ここでは、「なおちゃん」）が記述された状態について示している。
【００５７】
ＦＡＸ通知メールを表示した後、携帯電話機１００は、アクセスＵＲＬがクリックされたかを判断する（ＳＴ２０２）。アクセスＵＲＬがクリックされたならば、ＦＡＸビューワが既にダウンロードされているか判断する（ＳＴ２０３）。このようにアクセスＵＲＬがクリックされた場合にＦＡＸビューワの有無が判断されるので、携帯電話機１００の利用者は、ＦＡＸ通知メール上から簡単にＦＡＸビューワの有無の判断を指示できることとなる。
【００５８】
ＦＡＸビューワがダウンロードされていない場合には、ダウンロード選択画面を表示する（ＳＴ２０４）。ダウンロード選択画面には、図５に示すように、ダウンロードする場合に選択される「ＯＫ」ボタンと、ダウンロードしない場合に選択される「キャンセル」ボタンが表示されている。
【００５９】
次に、ダウンロード選択画面からＦＡＸビューワのダウンロードが指示されるか判断する（ＳＴ２０５）。「ＯＫ」ボタンが選択され、ＦＡＸビューワのダウンロードが指示されたならば、携帯電話機１００は、ＷＥＢサーバ１０３よりＦＡＸビューワをダウンロードする（ＳＴ２０６）。一方、「キャンセル」ボタンが選択され、ＦＡＸビューワのダウンロードが指示されない場合には、図６に示すように、ＨＴＭＬにて受信したＦＡＸ画像を表示する旨を表示し、ＨＴＭＬにてＦＡＸ画像を表示する（ＳＴ２０７）。なお、ＨＴＭＬにてＦＡＸ画像を表示する処理については従来から実施されている処理であるため、その説明を省略する。
【００６０】
このように、携帯電話機１００の利用者によるＦＡＸビューワのダウンロード指示を待って当該ＦＡＸビューワが取得される。このため、利用者の必要に応じてＦＡＸビューワを取得することができ、必要のない場合には他の閲覧方式、例えば、ＨＴＭＬを用いてＦＡＸ画像を閲覧する等の処理を選択することができる。
【００６１】
ＦＡＸビューワのダウンロードを完了したならば、ＦＡＸビューワ起動選択画面を表示する（ＳＴ２０８）。ＦＡＸビューワ起動選択画面は、図７に示すように、ＦＡＸビューワを起動する場合に選択される「ＯＫ」ボタンと、起動しない場合に選択される「キャンセル」ボタンが表示されている。
【００６２】
ＦＡＸビューワ起動選択画面を表示した後、ＦＡＸビューワの起動が指示されるか判断する（ＳＴ２０９）。「ＯＫ」ボタンが選択され、ＦＡＸビューワの起動が指示されたならば、処理をＳＴ２１０に移行する。一方、「キャンセル」ボタンが選択され、ＦＡＸビューワの起動が指示されないならば、処理をＳＴ２０７に移行し、ＨＴＭＬにてＦＡＸ画像を表示する。
【００６３】
このように、携帯電話機１００の利用者によるＦＡＸビューワの起動指示を待って当該ＦＡＸビューワが起動される。このため、利用者の必要に応じてＦＡＸビューワを起動することができ、必要のない場合には他の閲覧方式、例えば、ＨＴＭＬを用いてＦＡＸ画像を閲覧する等の処理を選択することができる。
【００６４】
なお、ＳＴ２０３の判断において、既にＦＡＸビューワがダウンロードされている場合には、携帯電話機１００は、処理をＳＴ２０８に移行し、ＦＡＸビューワ起動選択画面を表示し、起動指示の有無を判断する。
【００６５】
ＳＴ２１０において、携帯電話機１００は、受信ＦＡＸの枚数が予め設定しておいたＦＡＸ画像の枚数（以下、「所定枚数」という）より多いか判断する。ここでは、所定枚数として５枚が設定されているものとする。受信ＦＡＸは２枚であるため、所定枚数より少ない。受信ＦＡＸが所定枚数より少ない場合には、携帯電話機１００は、ＷＥＢサーバ１０３より当該受信ＦＡＸをＧＩＦ化した画像データの一覧を読み込み、表示する（ＳＴ２１１）。
【００６６】
図８は、携帯電話機１００の表示部に受信ＦＡＸの画像データの一覧が表示された状態について示している。図８に示すように、受信ＦＡＸの画像データの一覧においては、受信ＦＡＸの枚数に応じた画像データが表示される。ここでは、受信ＦＡＸが２枚であるため、２枚の画像データが重なった状態で表示される。
【００６７】
なお、受信ＦＡＸが所定枚数より多い場合には、受信ＦＡＸの画像データを複数のファイルに分割し、分割後の画像データを格納したファイルの一覧を表示し（ＳＴ２１２）、いずれかのファイルが選択されるか判断する（ＳＴ２１３）。特定のファイルが選択された場合には、当該ファイルに格納された画像データの一覧を読み込み、表示する（ＳＴ２１１）。
【００６８】
ここで、受信ＦＡＸの画像データを複数のファイルに分割する場合について説明する。例えば、図９のＦＡＸ通知メールに示すように、１５枚のＦＡＸ画像を受信した場合について説明する。なお、ここでも所定枚数として５枚が設定されているものとする。この場合、ＳＴ２０９でＦＡＸビューワを起動すると、ＳＴ２１０にて受信ＦＡＸが所定枚数よりも多いと判断し、ＳＴ２１０で図１０に示すように、受信ＦＡＸの画像データを複数のファイルに分割し、分割した後の画像データを格納したファイルの一覧を表示する。ここでは、所定枚数が５枚に設定されているため、画像データが５枚毎に格納されたファイルが複数表示されている。
【００６９】
このファイルの一覧からＳＴ２１３において、ファイル１が選択されたとすると、ＳＴ２１１において、図１１に示すように、ファイル１に格納されたＦＡＸ画像の画像データの一覧が読み込まれ、表示される。このようにＦＡＸ画像の枚数が所定枚数を上回る場合、当該ＦＡＸ画像に対応する画像データが所定枚数以下の枚数に分割して取得される。このため、携帯電話機１００のメモリに過大の負担をかけることなく、ＦＡＸ画像に対応する画像データを取得することができる。
【００７０】
なお、図１０に示す画面から一度に受信するＦＡＸ画像の枚数（所定枚数）を変更することができる。図１０に示す画面に設けられている「所定枚数の変更」ボタンを選択すると、図１２に示す画面が表示され、利用者は、所定枚数を変更することができる。なお、変更できる枚数は、携帯電話機１００の内蔵するメモリの容量に依存することとなる。
【００７１】
ＳＴ２１１で２枚のＦＡＸ画像の画像データを表示した場合について説明を続ける。２枚の画像データを表示した後、携帯電話機１００は、図１３に示すように、いずれかの画像データの選択が指示されるか判断する（ＳＴ１３０１）。なお、初期状態においては、当該受信ＦＡＸの１枚目の画像データが表示されている。画像データの選択が指示されたならば、表示された画像データを変更し（ＳＴ１３０２）、画像データの決定を判断する（ＳＴ１３０３）。画像データの決定が指示されたならば、その選択された画像データを表示する（ＳＴ１３０４）。
【００７２】
このように受信ＦＡＸが複数枚の場合、受信ＦＡＸの枚数に応じた画像データの全てを取得した後、各画像データについて閲覧可能とする。このため、ＦＡＸ画像に対応する画像データを利用者の指示に応じて取得する場合に比べて画像データの取得後の処理を高速化することができる。
【００７３】
この画像データの選択は、ＦＡＸビューワにおいて頁めくり機能として実行される。ここでは、受信ＦＡＸが２枚であるため、図１４に示すように、１回頁めくり機能を実行すると動物を示す画像データ（Ｇｉｆ１）から積み木を示す画像データ（Ｇｉｆ２）に変更され、２回頁めくり機能を実行すると、積み木を示す画像データから動物を示す画像データに戻る。このようにＦＡＸ画像に対応する画像データに対して頁めくりを行うことができるので、携帯電話機１００で画像データを容易に選択することができる。
【００７４】
ここで、動物を示す画像データに決定されたとすると（ＳＴ１３０３）、図１５に示すように、動物を示す画像データが表示される（ＳＴ１３０４）。同図に示すように、本実施の形態に係るＦＡＸビューワにおいては、選択された画像データの全体が表示される。
【００７５】
このように、ダウンロードＦＡＸビューワを実行することにより、携帯電話機１００でＦＡＸ画像の全体を表示部の表示領域で表示可能な画像形式に変換した画像データ（ＧＩＦ化された画像データ）の閲覧が可能となる。このため、携帯電話機１００宛てに送信されたＦＡＸ画像の細かな表示制御を行うことが可能となる。
【００７６】
選択された画像データが表示された画面には、図１５に示すように、「メニュー」ボタンと、「戻る」ボタンが表示されている。「メニュー」は、ＦＡＸビューワにおける各種の機能を実行する場合に選択されるものである。「戻る」は、ＦＡＸビューワにおいて、処理を１つ前に戻す場合に選択されるものである。
【００７７】
「メニュー」が選択されると（ＳＴ１３０５）、図１６に示すように、メニュー一覧が画面上に表示される（ＳＴ１３０６）。メニュー一覧には、「拡大」、「縮小」、「回転（右９０度）」「回転（左９０度）」、「画面保存」、「簡易返信・転送」、「返信」及び「転送」が登録されている。
【００７８】
本実施の形態に係る携帯電話機１００においては、受信ＦＡＸの画像データ上にコメントを記述して返信等の処理を行うものであるが、かかる返信処理においては、「簡易返信（簡易返信・転送）」及び「詳細返信（返信）」の２つが用意されている。「簡易返信」は、画像データ上に記述するコメントの大まかな位置のみを決めて返信するものである。これに対して、「詳細返信」は、画像データ上に記述するコメントの詳細な位置を決めて返信するものである。
【００７９】
メニュー一覧を表示した後、携帯電話機１００は、いずれの機能が選択されるか判断する。具体的には、まず「拡大」又は「縮小」が選択されるか判断する（ＳＴ１３０７）。「拡大」又は「縮小」が選択されたならば、携帯電話機１００は、拡大又は縮小画像を表示した後（ＳＴ１３０８）、処理をＳＴ１３０５に戻し再びメニューが選択されるか判断する。図１７は、拡大画像が表示された状態を示している。拡大（縮小）画像は、携帯電話機１００の操作ボタンでスクロール可能となっている。このようにＦＡＸ画像に対応する画像データに対して拡大又は縮小表示を行うことができるので、携帯電話機１００における画像データの視認性を向上することができる。
【００８０】
「拡大」又は「縮小」が選択されていない場合、「回転」が選択されるか判断する（ＳＴ１３０９）。「回転」が選択されたならば、携帯電話機１００は、回転後の画像を表示した後（ＳＴ１３１０）、処理をＳＴ１３０５に戻し再びメニューが選択されるか判断する。
【００８１】
「回転」が選択されていない場合、「画面保存」が選択されるか判断する（ＳＴ１３１１）。「画面保存」は、現在表示している画像データ上に記述するコメントの別メニューによる作成等のため、一旦ＦＡＸビューワを終了する場合に選択されるものである。このため「画面保存」が選択されたならば、携帯電話機１００は、ＦＡＸビューワを終了し（ＳＴ１３１２）、待機状態へと移行する。
【００８２】
「画面保存」が選択されていない場合、「簡易返信・転送」が選択されるか判断する（ＳＴ１３１３）。ここでは、「簡易返信・転送」が選択されたものとする。「簡易返信・転送」が選択されたならば、携帯電話機１００は、入力指示画面を表示する（ＳＴ１３１４）。図１８は、入力指示画面が表示された状態について示している。図１８に示すように、入力指示画面には、「文字位置指定」ボタン、「文字入力」ボタン及び「ＯＫ」ボタンが設けられている。
【００８３】
なお、「簡易返信・転送」が選択されていないならば、「返信」又は「転送」が選択されるか判断する（ＳＴ１３１５）。「返信」又は「転送」が選択された場合、上述の「詳細返信（転送）」に移行することとなる。この場合、携帯電話機１００は、メニューの内容を切り替えて（ＳＴ１３１６）、図３３に示すＳＴ３３０７に移行する。なお、この「詳細返信（転送）」による処理については後述する。
【００８４】
ＳＴ１３１４で入力指示画面を表示すると、図１９に示すように、携帯電話機１００は、「文字位置指定」が選択されるか判断する（ＳＴ１９０１）。「文字位置指定」が選択されたならば、位置指定用ボックスを表示する（ＳＴ１９０２）。「ＯＫ」ボタンを選択することで、位置指定ボックスの位置が決定されるか判断する（ＳＴ１９０３）。図２０は、位置指定ボックスを表示した状態について示している。図２０に示す状態から位置指定ボックスを指定した後「ＯＫ」が選択されることで、図２１に示すように、位置指定ボックスによる文字入力位置が決定される。
【００８５】
「文字位置指定」が選択されていない場合、あるいは、選択された後で決定された場合、携帯電話機１００は、「文字入力」が選択されるか判断する（ＳＴ１９０４）。「文字入力」が選択されたならば、図２２に示す文字入力編集画面を表示する（ＳＴ１９０５）。図２２に示すように、文字入力編集画面には、文字入力領域、この文字入力領域に書き込む文字サイズを指定するプルダウンメニュー及び「ＯＫ」ボタンが設けられている。ここでは、「よく書けたね。ありがとう。パパ」と文字サイズを「中」と指定して記述された場合について示している。なお、文字入力編集画面においては、利用者による直接入力のほか、定型文呼び出しや、受信メールからのカット＆ペースト等による入力も可能である。
【００８６】
携帯電話機１００は、文字入力編集画面を表示した後、「ＯＫ」ボタンを選択することで入力文字が決定されるかを判断する（ＳＴ１９０６）。ここで、「ＯＫ」ボタンが選択されたならば、文字挿入イメージを表示する（ＳＴ１９０７）。図２３は、入力された文字を挿入した場合の画像データのイメージを表示している。この場合、同図に示すように、動物の画像データに「よく書けたね。ありがとう。パパ」が記述された画像データが表示される。
【００８７】
文字挿入イメージを表示した後、携帯電話機１００は、「ＯＫ」ボタンが選択されるかを判断する（ＳＴ１９０８）。「ＯＫ」ボタンが選択されたならば、図２４に示す返信先確認画面を表示する（ＳＴ１９０９）。返信先確認画面には、宛先が表示される領域（以下、「宛先表示領域」という）及び返信枚数が表示される領域、並びに「機能」ボタン、「ＯＫ」ボタン及び「キャンセル」ボタンが設けられている。
【００８８】
返信先確認画面を表示すると、図２５に示すように、携帯電話機１００は、「機能」ボタンが選択されるか、「ＯＫ」ボタンが選択されるか、「キャンセル」ボタンが選択されるか判断する（ＳＴ２５０１、ＳＴ２５１５、ＳＴ２５１６））。ここでは、「機能」ボタンが選択されたものとする。「機能」ボタンが選択されたならば、図２６に示すように、機能一覧を表示する（ＳＴ２５０２）。図２６に示すように、機能一覧には、「宛先変更」、「宛先追加」、「ＦＡＸＮｏ．指定」、「メールアドレス指定」、「アドレス帳呼び出し」、「カット＆ペースト」、「ＦＡＸペーパー出力指定」及び「送信画像形式選択」が設けられている。
【００８９】
機能一覧を表示した後、携帯電話機１００は、いずれの機能が選択されるか判断する。実際の処理においては、それぞれの機能につき処理が行われることとなるが、ここでは、特に「宛先追加」、「ＦＡＸペーパー出力指定」及びこの２つ以外の機能（「その他機能」）に分けて説明する。すなわち、携帯電話機１００は、「宛先追加」が選択されるか、「ＦＡＸペーパー出力」が選択されるか、「その他機能」が選択されるかを判断する（ＳＴ２５０３〜ＳＴ２５０５）。
【００９０】
「宛先追加」が選択された場合には、携帯電話機１００は、図２７に示す宛先追加画面を表示する（ＳＴ２５０６）。図２７に示すように、宛先追加画面には、宛先表示領域が追加されている。利用者は、ここに新たな宛先を指定することができる。このようにＦＡＸ画像の返信又は転送処理を行う際に宛先を追加することができるので、限られた送信先だけでなく任意の送信先を設定して返信又は転送処理を行うことができる。
【００９１】
また、宛先追加画面には、送信画像形式を選択するためのプルダウンメニューが設けられている。利用者は、ここで画像形式を選択することで、新たな宛先を指定する際にその送信画像形式を選択することができる。このようにＦＡＸ画像の返信又は転送処理を行う際に当該ＦＡＸ画像の画像形式を選択することができるので、限られた画像形式だけでなく任意の画像形式を選択して返信又は転送処理を行うことができる。
【００９２】
宛先追加画面を表示した後、携帯電話機１００は、「キャンセル」ボタンが選択されるか、「ＯＫ」ボタンが選択されるか判断する（ＳＴ２５０７、ＳＴ２５０８）。「キャンセル」ボタンが選択された場合には追加した宛先を消去した状態で、一方、「ＯＫ」ボタンが選択された場合には追加した宛先を指定した状態で処理をＳＴ２５０１に戻す。図２８は、宛先を追加した状態で新たな指示を待機している状態について示している。
【００９３】
「ＦＡＸペーパー出力指定」が選択された場合には、携帯電話機１００は、図２９に示すペーパー出力指定画面を表示する（ＳＴ２５０９）。図２９に示すように、ペーパー出力指定画面には、ペーパー出力指定をするためのプルダウンメニューが設けられている。ペーパー出力指定とは、送信先の端末において、ディスプレイで表示させるのではなく、強制的に紙に出力することを指定するものである。例えば、緊急時や受信を強調したい場合に選択される。利用者は、この画面からペーパー出力指定をすることができる。
【００９４】
このようにＦＡＸ画像の返信又は転送処理を行う際に返信先又は転送先におけるペーパー出力を指定することができるので、ペーパー出力されないまま放置されるような事態を回避することができ、緊急時や受信を強調したい場合により確実に受信者にファクシミリ画像の内容を伝えることができる。
【００９５】
ペーパー出力指定画面を表示した後、携帯電話機１００は、「キャンセル」ボタンが選択されるか、「ＯＫ」ボタンが選択されるか判断する（ＳＴ２５１０、ＳＴ２５１１）。「キャンセル」ボタンが選択された場合にはペーパー出力指定の有無を消去した状態で、一方、「ＯＫ」ボタンが選択された場合にはペーパー出力指定の有無を指定した状態で処理をＳＴ２５０１に戻す。図３０は、ペーパー出力指定がされた状態で新たな指示を待機している状態について示している。
【００９６】
「その他機能」が選択された場合には、携帯電話機１００は、その他機能に対応した画面を表示し（ＳＴ２５１２）、「キャンセル」ボタンが選択されるか、「ＯＫ」ボタンが選択されるか判断する（ＳＴ２５１３、ＳＴ２５１４）。「キャンセル」ボタンが選択された場合にはその他機能の実行を維持した状態で、一方、「ＯＫ」ボタンが選択された場合にはその他機能の実行を解除した状態で処理をＳＴ２５０１に戻す。
【００９７】
ＳＴ２５０１に処理を戻すと、携帯電話機１００は、再び「機能」ボタンが選択されるか、「ＯＫ」ボタンが選択されるか、「キャンセル」ボタンが選択されるか判断する（ＳＴ２５０１、ＳＴ２５１５、ＳＴ２５１６）。ここで、「ＯＫ」ボタンが選択された場合には、コメントを記述した画像データに対応するＦＡＸ画像の送信を指示し（ＳＴ２５１７）、「キャンセル」ボタンが選択された場合には、処理をＳＴ１３０１に戻す。図３１は、ＦＡＸ画像の送信指示が完了した状態について示している。
【００９８】
図３２は、携帯電話機１００からＦＡＸ１０６にコメントが書き込まれたＦＡＸ画像が返信されるまでの状態の遷移を説明するための図である。
【００９９】
携帯電話機１００でＦＡＸ画像の簡易返信等が指示されると、携帯電話機１００からＷＥＢサーバ１０３に対してその簡易返信等の処理に必要な情報が送信される。なお、簡易返信等の処理に必要な情報には、簡易返信等の対象となるＦＡＸ画像を特定する情報、携帯電話機１００で入力された文字情報、その文字の位置情報及び簡易返信等の宛先などの情報が含まれる。これらの情報を受信した結果、ＷＥＢサーバ１０３では、同図に示すように、ＦＡＸ画像の所定位置にコメントを記述した画像データを表示するために必要な情報が格納されることとなる。
【０１００】
画像変換サーバ１０４は、これらの情報と簡易返信等の対象となるＦＡＸ画像がＧＩＦ化した画像データを取得し、入力された文字情報とこの画像データとを合成する。そして、合成した画像データをＴＩＦＦ化した後、ＦＡＸ１０６に対して送信する。ＦＡＸ１０６への送信の際、当該画像データをＦＡＸ通信する場合には、画像変換サーバ１０４がＰＳＴＮを介して送信する。一方、当該画像データを電子メールに添付して送信する場合には、メールサーバ１０２がインターネット等のネットワークを介して送信する。これにより、ＦＡＸ１０６では、送信したＦＡＸ画像に携帯電話機１００の利用者（父）からのコメントが記述されたＦＡＸ画像が返信されることとなる。
【０１０１】
このように本実施の形態に係る携帯電話機１００によれば、ＦＡＸ画像の返信又は転送処理を指示することができるので、携帯電話機１００から場所や時間を選ぶことなくＦＡＸ画像の返信又は転送を行うことができる。
【０１０２】
特に、本実施の形態に係る携帯電話機１００によれば、ＦＡＸ画像に対して入力される文字情報を指定することができるので、ＦＡＸ画像に対してコメントを付与するなどの編集加工を行って返信又は転送処理を行うことができる。このため、携帯電話機１００でファクシミリ機能を有効に活用することができるという優れた効果を奏する。
【０１０３】
なお、メールサーバ１０２を介して転送することで、画像変換サーバ１０４が合成した画像データを他の端末等で利用することも可能である。例えば、携帯電話機１００の利用者が会社等で用いるＰＣ３２０１に割り当てられた電子メールアドレスに転送することで、当該ＰＣで合成された画像データを閲覧することも可能である。
【０１０４】
また、サーバ１０１をプリンタサーバとして利用している場合には、サーバ１００が管理するプリンタ３２０２に合成された画像データを出力させることも可能である。さらに、他の携帯電話機３２０３に当該合成された画像データにアクセスできるアクセスＵＲＬを記述したＦＡＸ通知メールを送信し、携帯電話機３２０３でアクセスＵＲＬを用いて合成された画像データを閲覧することも可能である。この携帯電話機３２０３がフラッシュメモリ等の記憶媒体に記録する機能を備える場合には、当該記憶媒体に合成された画像データを保存することも可能となる。
【０１０５】
次に、本実施の形態に係る携帯電話機１００において、上述の「詳細返信（転送）」を行う場合の処理について説明する。図３３は、本実施の形態に係る携帯電話機１００において「詳細返信（転送）」を行う場合の処理について説明するためのフロー図である。
【０１０６】
なお、「詳細返信」等を行う場合には、図１３に示すＳＴ１３１１で画面保存した後に移行する場合と、ＳＴ１３１６でメニューを切り替えて移行する場合とがある。なお、前者は、コメント（返信用文章）がまだ登録されていない場合に選択されるものであり、後者は、返信用文章が既に登録されている場合に選択されるものである。ここでは、前者について中心に説明し、後者について補足的に説明する。
【０１０７】
ここでは、「詳細返信」が必要な例として、顧客より注文書が届いた場合について説明する。図３４は、この注文書が届いたことを示すＦＡＸ通知メールを表示した状態について示している。ＦＡＸビューワを起動してこの注文書の画像データを表示した後（ＳＴ１３０４）、メニューから「画面保存」が選択されると（ＳＴ１３１１）、携帯電話機１００は、ＦＡＸビューワを一旦終了させ、待機状態に移行する。図３５は、注文書の画像データから「画面保存」を選択している状態について表示している。なお、ここでは、「回転（左９０度）」が選択された後、「画面保存」されたものとする。
【０１０８】
待機状態に移行した後、携帯電話機１００は、利用者からの返信用文章の登録を受け付ける。本実施の形態に係る携帯電話機１００においては、返信用文章の登録を受け付ける際、携帯電話機１００が備えるフリーメモ機能を活用する。返信用文章の登録を受け付ける際、待機状態からフリーメモ機能が起動される（ＳＴ３３０１）。
【０１０９】
フリーメモ機能を起動すると、利用者により返信用文章が作成されるので、これを受け付け、登録する（ＳＴ３３０２）。ここで、利用者は、図３６に示すように、返信用文章として「納期は６月３０日になります。ご不明な点がございましたら、ご連絡下さい。よろしくお願いいたします。」と登録したものとする。この返信用文章は、図３７に示すように、以前に作成された文章とともに携帯電話機１００のメモリに登録されることとなる。
【０１１０】
返信用文章を登録すると、利用者により再びＦＡＸビューワが起動される（ＳＴ３３０３）。ＦＡＸビューワを起動した後、メニューから「返信（転送）」が選択されると、図３８に示すように、以前に「画面保存」により保存された受信ＦＡＸの画像データの一覧画面（以下、「受信ＦＡＸ一覧画面」という）が表示される（ＳＴ３３０４）。同図に示すように、受信ＦＡＸ一覧画面においては、受信日と枚数が表示される。受信ＦＡＸ一覧画面において、各受信ＦＡＸの題名や送信者を表示することは実施の形態として好ましい。
【０１１１】
受信ＦＡＸ一覧画面を表示した後、携帯電話機１００は、返信対象となる画像データが選択されるか判断する（ＳＴ３３０５）。返信対象となる画像データが選択されたならば、その画像データを表示する（ＳＴ３３０６）。図３９は、返信対象として選択された注文書の画像データを表示した状態について示している。なお、画像データは、最終的に保存した状態で表示される。ここでは、「画面保存」の際に「回転（左９０度）」が選択されていたため、同図に示すように画像データの方向が変更した状態で表示される。
【０１１２】
画像データを表示すると、携帯電話機１００は、メニューが選択されるか判断する（ＳＴ３３０７）。メニューが選択されたならば、メニュー一覧を表示する（ＳＴ３３０８）。図４０は、メニュー一覧が表示された状態について示している。同図に示すように、メニュー一覧には、「宛先変更」、「宛先追加」、「ＦＡＸＮｏ．指定」「アドレス指定」、「文字入力」、「カット＆ペースト」及び「送信画像形式選択」が登録されている。なお、返信用文章が既に登録されている場合において、図１３に示すＳＴ１３１６でメニューを切り替えた場合には、ＳＴ３３０７でメニューが選択されるか判断されることとなる。
【０１１３】
メニュー一覧を表示した後、携帯電話機１００は、いずれの機能が選択されるか判断する。実際の処理においては、それぞれの機能につき処理が行われることとなるが、ここでは、特に送信元に返信用文章を記述して返信する場合について説明する。この場合、携帯電話機１００は、メニュー一覧を表示した後、「文字入力」が選択されるか判断する（ＳＴ３３０９）。
【０１１４】
「文字入力」が選択されたならば、文字入力メニュー一覧を表示する（ＳＴ３３１０）。図４１は、文字入力メニュー一覧が表示された状態について示している。同図に示すように、文字入力メニュー一覧には、「新規作成」、「文章呼出」、「入力エリア指定」及び「カット＆ペースト」が登録されている。
【０１１５】
文字入力メニュー一覧を表示した後、携帯電話機１００は、いずれの機能が選択されるか判断する。実際の処理においては、それぞれの機能につき処理が行われることとなるが、ここでは、特に「入力エリア指定」が選択された後、「文章呼出」が選択された場合について説明する。この場合、携帯電話機１００は、文字入力メニュー一覧を表示した後、「入力エリア指定」が選択されるか判断する（ＳＴ３３１１）。
【０１１６】
「入力エリア指定」が選択されたならば、入力エリアの指定を受け付ける（ＳＴ３３１２）。図４２は、入力エリアの始点が指定される状態について示しており、図４３は、入力エリアの終点が指定される状態について示している。指定された始点と終点とを対角線上に結ぶ長方形部分が入力エリアとして指定される。
【０１１７】
入力エリアの指定を受け付けた後、携帯電話機１００は、図４４に示すように、「文章呼出」が選択されるか判断する（ＳＴ４４０１）。図４５は、「文章呼出」が選択される直前の状態について示している。このとき、「入力エリア指定」で指定された入力エリアは表示されたままの状態となっている。
【０１１８】
「文章呼出」が選択されたならば、フリーメモ機能に登録されている文章一覧を表示する（ＳＴ４４０２）。図４６は、文章一覧が表示された状態について示している。文章一覧を表示したならば、携帯電話機１００は、文章が選択されるかを判断する（ＳＴ４４０３）。ここでは、先に登録した「納期は６月３０日〜」が選択されるものとする。文章が選択されたならば、携帯電話機１００は、選択された文章の擬似表示（プレビュー）を行う（ＳＴ４４０４）。
【０１１９】
図４７は、選択された文章のプレビューが表示された状態について示している。なお、本実施の形態においては、ＦＡＸ画像上への返信用文章の合成はサーバ１０１で行う。このため、プレビューにおいては、実際に選択された文章ではなく、任意の文字（例えば「あ」）で選択された文章を表現したものが表示されることとなる。
【０１２０】
プレビューを表示した後、携帯電話機１００は、「戻る」ボタンが選択されるか、「ＯＫ」ボタンが選択されるかを判断する（ＳＴ４４０５、ＳＴ４４０６）。「戻る」ボタンが選択されたならば、処理をＳＴ４４０２に戻し、再び文章選択から繰り返す。一方、「ＯＫ」ボタンが選択されたならば、ＦＡＸ画像の送信を指示して（ＳＴ４４０７）、処理を終了する。ＦＡＸ画像の送信が指示されると、上述の「簡易返信」の場合と同様に、サーバ１０１に「詳細返信」等の処理に必要な情報が送信され、サーバ１０１で詳細返信等の対象となるＦＡＸ画像に返信用文章が合成され、送信元のＦＡＸ１０６等に返信される。これにより、携帯電話機１００の利用者からの返信用文章が記述されたＦＡＸ画像が顧客に返信されることとなる。
【０１２１】
以上のように本実施の形態に係る携帯電話機１００では、ＦＡＸ１０５等から送信されたＦＡＸ画像上に返信用文章を書き込んで返信するが、この際、携帯電話機１００とサーバ１０１との間で返信用文章における最適なフォントサイズや改行位置等を自動的に選択する処理を行う。以下、返信用文章における最適なフォントサイズや改行位置等を自動的に選択する処理について説明する。
【０１２２】
図４８は、本実施の形態に係る携帯電話機１００とサーバ１０１との間で返信用文章における最適なフォントサイズや改行位置等を自動的に選択する処理を説明するためのフロー図である。ここでは、ＦＡＸ画像として上述の説明において用いた注文書を用い、返信用文章として「納期は６月３０日になります。ご不明な点がございましたら、ご連絡下さい。よろしくお願いいたします。」を用いて説明する。
【０１２３】
返信用文章として、この「納期は６月３０日になります。・・・」が入力されると、まず、携帯電話機１００は、この入力文章の文字数（Ｔ）をカウントする（ＳＴ４８０１）。ここで、入力文章の文字数（Ｔ）は、４９文字である。
【０１２４】
次に、携帯電話機１００は、指定された文字出力範囲の座標を取得する（ＳＴ４８０２）。具体的には、まず、受信したＦＡＸ画像のオリジナル原稿サイズ（Ｓ１）をサーバ１０１から取得する。かかるオリジナル原稿サイズ（Ｓ１）の取得は、サーバ１０１からＦＡＸ画像に対応する画像データを取得する際にオリジナル原稿サイズ（Ｓ１）を示すフラグを取得することで実現される。そして、範囲指定された時点における原稿の倍率（拡大又は縮小）を考慮し、オリジナル原稿サイズ（Ｓ１）に換算した場合の文字出力範囲の座標及び面積を取得する。ここでは、オリジナル原稿サイズ（Ｓ１）は、Ａ４であるものとする。
【０１２５】
図４９は、Ａ４サイズ原稿の注文書における文字出力範囲を説明するための図である。ＳＴ４８０２の処理においては、文字出力範囲の座標として（Ｘ１、Ｘ２、Ｙ１、Ｙ２）が取得され、文字出力範囲の面積として「Ａ」が取得される。
【０１２６】
次に、携帯電話機１００は、ＦＡＸ画像に対応する画像データにグリッドフレームをかぶせ、文字出力範囲の面積（Ａ）のカラム数（Ｃ）をカウントする（ＳＴ４８０３）。図５０は、ＦＡＸ画像にグリッドフレームをかぶせ、文字出力範囲のカラム数（Ｃ）をカウントする場合のイメージを説明するための図である。ここで、文字出力範囲（Ａ）のカラム数（Ｃ）は、４５０カラムであったものとする。
【０１２７】
本実施の形態においては、グリッドフレームや後述するフォントサイズテーブルについて、一般的なサイズのみ携帯電話機１００に予め格納しておき、特殊なサイズはサーバ１０１から必要に応じてダウンロードする。これにより特殊なサイズについて携帯電話機１００に予め格納するのを回避できるので、携帯電話機１００のメモリの使用効率を向上することができる。例えば、本実施の形態においては、図５１に示す一般的なグリッドフレームやフォントサイズテーブルのみを格納しておき、その他のサイズはサーバ１０１からダウンロードすることが考えられる。
【０１２８】
文字出力範囲のカラム数（Ｃ）をカウントしたならば、携帯電話機１００は、最適なフォントサイズを決定するとともに、改行文字数を算出する。
【０１２９】
最適なフォントサイズを決定する際、まず、文字出力範囲のカラム数（Ｃ）を文字数（Ｔ）で割り、１文字当たりに割り当てることができるカラム数（Ｃ１）を求める。ここでは、４５０カラム（Ｃ）を４９文字（Ｔ）で割ることで１文字当たりに割り当てることができるカラム数（Ｃ１）として９．１８カラムを算出する。これをフォントサイズテーブルと照合し、９．１８カラム（Ｃ１）よりも小さいフォントサイズのうち、最も大きいフォントサイズを選択する。ここでは、１文字当たりに割り当てることができるカラム数（Ｃ１）が９．１８カラムであるため、図５１（ｂ）のフォントサイズから１文字当たり９カラム必要とする１４ポイントのフォントサイズが選択される。なお、１４ポイントのフォントサイズでは、１文字当たり縦に３カラム、横に３カラムが用いられる。
【０１３０】
一方、改行文字数を算出する際、１行当たりに配置できる文字数を算出する。具体的には、上述の文字出力範囲のＸ座標方向のカラム数（Ｌ）をＳＴ４８０２で取得した座標（Ｘ１、Ｘ２）から求める。ここでは、Ｘ座標方向の長さ（Ｌ）が７５カラムであったものとする。上述のように１４ポイントのフォントサイズでは横に３カラム（ＣＬ）を必要とする。このＸ座標方向のカラム数（Ｌ）を一文字当たりに必要とするカラム数で割ることで１行当たりに配置できる文字数が算出される。ここでは、７５カラム（Ｌ）を３カラム（ＣＬ）で割ることで２５文字が算出される。すなわち、改行文字数として２５文字が算出されたこととなる。
【０１３１】
携帯電話機１００でＦＡＸ画像の送信を指示すると、ＷＥＢサーバ１０３に送信される情報には、これらのフォントサイズや改行文字数などの情報が含まれる。これらの情報を受け取ると、画像変換サーバ１０４では指示された返信用文章について、確定したフォントサイズ、改行文字数によりテキストで作成し、さらに透明ＧＩＦ化する（ＳＴ４８０４）。
【０１３２】
そして、透明ＧＩＦ化した画像データと、保存しておいたオリジナルＦＡＸ画像と、を合成する（ＳＴ４８０５）。図５２は、透明ＧＩＦ化した画像データと、保存しておいたオリジナルＦＡＸ画像を合成する際のイメージを示す図である。同図に示すように、携帯電話機１００から受け取った座標情報に従って透明ＧＩＦ化した画像データを合成する。
【０１３３】
このように合成された画像データを返信用ＦＡＸ画像として、携帯電話機１００から受け取った宛先にＦＡＸ送信する（ＳＴ４８０６）。図５３は、返信用ＦＡＸ画像としてＦＡＸ送信される、合成された画像データを示している。なお、ＦＡＸ送信された後、このように合成された画像データは、再度の利用を考慮してＷＥＢサーバ１０３に保存される。
【０１３４】
なお、本実施の形態に係る携帯電話機１００では、ＦＡＸ１０５等から送信されたＦＡＸ画像上にコメントを書き込んで返信等する場合について説明している。しかし、これに限定されず、他のＰＣ等より送信された他の画像データ（例えば、ＰＤＦ（Portable Document Format）形式やＪＰＥＧ（Joint Photographic Experts Group）形式の画像データ）やドキュメントデータにも適用することが可能である。すなわち、携帯電話機１００でＦＡＸ画像以外の画像データやドキュメントデータにコメントを書き込んで返信、転送することができる。
【０１３５】
また、本発明は、当業者に明らかなように、上記実施の形態に記載した技術に従ってプログラムされた一般的な市販のデジタルコンピュータおよびマイクロプロセッサを使って実施することができる。また、当業者に明らかなように、本発明は、上記実施の形態に記載した技術に基づいて当業者により作成されるコンピュータプログラムを包含する。
【０１３６】
また、本発明を実施するコンピュータをプログラムするために使用できる命令を含む記憶媒体であるコンピュータプログラム製品が本発明の範囲に含まれる。この記憶媒体は、フロッピー（Ｒ）ディスク、光ディスク、ＣＤＲＯＭ及び磁気ディスク等のディスク、ＲＯＭ、ＲＡＭ、ＥＰＲＯＭ、ＥＥＰＲＯＭ、磁気光カード、メモリカードまたはＤＶＤ等であるが、特にこれらに限定されるものではない。
【産業上の利用可能性】
【０１３７】
本発明に係る携帯電話機、サーバ装置及びファクシミリ画像閲覧方法は、送信されたファクシミリ画像の細かな表示制御を可能とするとともに、このファクシミリ画像に直接コメントを付与するなどの編集加工を行って応答することができる点で有用である。
【図面の簡単な説明】
【０１３８】
【図１】本発明の一実施の形態に係る携帯電話機が接続されるネットワークの構成を示す図
【図２】上記実施の形態に係る携帯電話機でＦＡＸ画像を閲覧、返信等する場合の処理について説明するためのフロー図
【図３】上記実施の形態に係る携帯電話機で受信メール一覧にＦＡＸ通知メールが追加された状態について示す図
【図４】上記実施の形態に係る携帯電話機でＦＡＸ通知メールが表示された状態について示す図
【図５】上記実施の形態に係る携帯電話機でダウンロード選択画面が表示された状態について示す図
【図６】上記実施の形態に係る携帯電話機でＨＴＭＬにてＦＡＸ画像を受信する旨が表示された状態について示す図
【図７】上記実施の形態に係る携帯電話機でＦＡＸビューワ起動選択画面が表示された状態について示す図
【図８】上記実施の形態に係る携帯電話機で受信ＦＡＸの画像データの一覧が表示された状態について示す図
【図９】上記実施の形態に係る携帯電話機で大量のＦＡＸ画像を受信した場合におけるＦＡＸ通知メールが表示された状態について示す図
【図１０】上記実施の形態に係る携帯電話機で複数のファイルに分割した後のＦＡＸ画像の一覧が表示された状態について示す図
【図１１】上記実施の形態に係る携帯電話機でファイルに格納されたＦＡＸ画像の一覧が表示された状態について示す図
【図１２】上記実施の形態に係る携帯電話機で一度に受信するＦＡＸ画像の枚数（所定枚数）を変更する画面が表示された状態について示す図
【図１３】上記実施の形態に係る携帯電話機でＦＡＸ画像を閲覧、返信等する場合の処理について説明するためのフロー図
【図１４】上記実施の形態に係る携帯電話機で実行される頁めくり機能を説明するための図
【図１５】上記実施の形態に係る携帯電話機で選択された画像データが表示された状態について示す図
【図１６】上記実施の形態に係る携帯電話機でメニュー一覧が表示された状態について示す図
【図１７】上記実施の形態に係る携帯電話機で拡大画像が表示された状態について示す図
【図１８】上記実施の形態に係る入力指示画面が表示された状態について示す図
【図１９】上記実施の形態に係る携帯電話機でＦＡＸ画像を閲覧、返信等する場合の処理について説明するためのフロー図
【図２０】上記実施の形態に係る携帯電話機で位置指定ボックスが表示された状態について示す図
【図２１】上記実施の形態に係る携帯電話機で文字入力位置が決定された状態について示す図
【図２２】上記実施の形態に係る携帯電話機で文字入力編集画面が表示された状態について示す図
【図２３】上記実施の形態に係る携帯電話機で入力された文字を挿入した場合の画像データのイメージが表示された状態について示す図
【図２４】上記実施の形態に係る携帯電話機で返信先確認画面が表示された状態について示す図
【図２５】上記実施の形態に係る携帯電話機でＦＡＸ画像を閲覧、返信等する場合の処理について説明するためのフロー図
【図２６】上記実施の形態に係る携帯電話機で機能一覧が表示された状態について示す図
【図２７】上記実施の形態に係る携帯電話機で宛先追加画面が表示された状態について示す図
【図２８】上記実施の形態に係る携帯電話機で宛先を追加して新たな指示を待機している状態について示す図
【図２９】上記実施の形態に係る携帯電話機でペーパー出力指定画面が表示された状態について示す図
【図３０】上記実施の形態に係る携帯電話機でペーパー出力指定がされて新たな指示を待機している状態について示す図
【図３１】上記実施の形態に係る携帯電話機でＦＡＸ画像の送信が完了した状態について示す図
【図３２】上記実施の形態に係る携帯電話機からＦＡＸにコメントが書き込まれたＦＡＸ画像が返信されるまでの状態の遷移を説明するための図
【図３３】上記実施の形態に係る携帯電話機において詳細返信（転送）を行う場合の処理について説明するためのフロー図
【図３４】上記実施の形態に係る携帯電話機で注文書が届いたことを示すＦＡＸ通知メールが表示された状態について示す図
【図３５】上記実施の形態に係る携帯電話機で注文書の画像データから画面保存を選択している状態について示す図
【図３６】上記実施の形態に係る携帯電話機で作成された返信用文章が表示された状態について示す図
【図３７】上記実施の形態に係る携帯電話機で登録された文章の一覧が表示された状態について示す図
【図３８】上記実施の形態に係る携帯電話機で保存された受信ＦＡＸ一覧が表示された状態について示す図
【図３９】上記実施の形態に係る携帯電話機で返信対象となる注文書の画像データが表示された状態について示す図
【図４０】上記実施の形態に係る携帯電話機でメニュー一覧が表示された状態について示す図
【図４１】上記実施の形態に係る携帯電話機で文字入力メニュー一覧が表示された状態について示す図
【図４２】上記実施の形態に係る携帯電話機で入力エリアの始点が指定された状態が表示された状態について示す図
【図４３】上記実施の形態に係る携帯電話機で入力エリアの終点が指定される状態が表示された状態について示す図
【図４４】上記実施の形態に係る携帯電話機において詳細返信（転送）を行う場合の処理について説明するためのフロー図
【図４５】上記実施の形態に係る携帯電話機で文章呼出が選択される直前の状態について示す図
【図４６】上記実施の形態に係る携帯電話機で文章一覧が表示された状態について示す図
【図４７】上記実施の形態に係る携帯電話機で選択された文章のプレビューが表示された状態について示す図
【図４８】上記実施の形態に係る携帯電話機とサーバとの間で返信用文章における最適なフォントサイズや改行位置等を自動的に選択する処理を説明するためのフロー図
【図４９】上記実施の形態に係る携帯電話機において、Ａ４サイズ原稿の注文書における文字出力範囲を説明するための図
【図５０】上記実施の形態に係る携帯電話機において、ＦＡＸ画像にグリッドフレームをかぶせ、文字出力範囲のカラム数（Ｃ）をカウントする場合のイメージを説明するための図
【図５１】上記実施の形態に係る携帯電話機において格納された一般的なグリッドフレームやフォントサイズテーブルの一例を示す図
【図５２】上記実施の形態に係るサーバにおいて、透明ＧＩＦ化した画像データと、保存しておいたオリジナルＦＡＸ画像を合成する際のイメージを示す図
【図５３】上記実施の形態に係るサーバから返信用ＦＡＸ画像としてＦＡＸ送信される、合成された画像データを示す図
【符号の説明】
【０１３９】
１００  携帯電話機
１０１  サーバ
１０２  メールサーバ
１０３  ＷＥＢサーバ
１０４  画像変換サーバ
１０５，１０６  ファクシミリ装置（ＦＡＸ）
【図１】
2005094262.tif 000003
【図２】
2005094262.tif 000004
【図３】
2005094262.tif 000005
【図４】
2005094262.tif 000006
【図５】
2005094262.tif 000007
【図６】
2005094262.tif 000008
【図７】
2005094262.tif 000009
【図８】
2005094262.tif 000010
【図９】
2005094262.tif 000011
【図１０】
2005094262.tif 000012
【図１１】
2005094262.tif 000013
【図１２】
2005094262.tif 000014
【図１３】
2005094262.tif 000015
【図１４】
2005094262.tif 000016
【図１５】
2005094262.tif 000017
【図１６】
2005094262.tif 000018
【図１７】
2005094262.tif 000019
【図１８】
2005094262.tif 000020
【図１９】
2005094262.tif 000021
【図２０】
2005094262.tif 000022
【図２１】
2005094262.tif 000023
【図２２】
2005094262.tif 000024
【図２３】
2005094262.tif 000025
【図２４】
2005094262.tif 000026
【図２５】
2005094262.tif 000027
【図２６】
2005094262.tif 000028
【図２７】
2005094262.tif 000029
【図２８】
2005094262.tif 000030
【図２９】
2005094262.tif 000031
【図３０】
2005094262.tif 000032
【図３１】
2005094262.tif 000033
【図３２】
2005094262.tif 000034
【図３３】
2005094262.tif 000035
【図３４】
2005094262.tif 000036
【図３５】
2005094262.tif 000037
【図３６】
2005094262.tif 000038
【図３７】
2005094262.tif 000039
【図３８】
2005094262.tif 000040
【図３９】
2005094262.tif 000041
【図４０】
2005094262.tif 000042
【図４１】
2005094262.tif 000043
【図４２】
2005094262.tif 000044
【図４３】
2005094262.tif 000045
【図４４】
2005094262.tif 000046
【図４５】
2005094262.tif 000047
【図４６】
2005094262.tif 000048
【図４７】
2005094262.tif 000049
【図４８】
2005094262.tif 000050
【図４９】
2005094262.tif 000051
【図５０】
2005094262.tif 000052
【図５１】
2005094262.tif 000053
【図５２】
2005094262.tif 000054
【図５３】
2005094262.tif 000055